(57)【特許請求の範囲】
【請求項１】
洗浄室を有するとともに、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、
前記扉と前記本体との間に閉扉状態を保持する複数の扉ロック機構を設け、この扉ロック機構に対応して扉が開放状態であることを検知する開扉検知手段を設けるとともに、この開扉検知手段の検知結果をそれぞれ表示する表示手段を設けたことを特徴とする食器洗浄機。
【請求項２】
表示手段は、複数の扉ロック機構のそれぞれ近傍に位置して配設したことを特徴とする請求項１記載の食器洗浄機。
【請求項３】
洗浄室を有するとともに、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、
前記扉と前記本体との間に閉扉状態を保持する複数の扉ロック機構を設けるとともに、この扉ロック機構に対応して扉の開閉状態を表示する表示手段を設け、この表示手段は、扉側に設けられ前記扉ロック機構を構成するフックレバーに指標を施し、このフックレバーの回動に応じて移動する前記指標を、前記扉に設けた可視部から視認できる構成としたことを特徴とする食器洗浄機。
【請求項４】
洗浄室を有するとともに、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、
前記扉と前記本体との間に閉扉状態を保持する複数の扉ロック機構を設け、この扉ロック機構に対応して扉が開放状態であることを検知する開扉検知手段を設けるとともに、扉若しくは本体のいずれか一方に設けられた操作パネルに、複数の扉ロック機構の配置構成図を印刷し、この構成図上に前記開扉検知手段の検知結果をそれぞれ表示する表示手段を設けたことを特徴とする食器洗浄機。
【請求項５】
洗浄室を有するとともに、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、
前記扉と前記本体との間に閉扉状態を保持する複数の扉ロック機構を設け、この扉ロック機構に対応して扉が閉鎖状態であることを検知する閉扉検知手段を設けるとともに、この閉扉検知手段の検知結果をそれぞれ異なる音声にて報知する報知手段を設けたことを特徴とする食器洗浄機。
【請求項６】
洗浄室を有するとともに、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、
前記扉と前記本体との間に閉扉状態を保持する複数の扉ロック機構を設け、この扉ロック機構に対応して扉が開放状態であることを検知する開扉検知手段を設けるとともに、前記扉ロック機構を構成するフックレバーを、前記扉を外扉部および内扉部から構成するうちの外扉部側に回動可能に軸支したシャフトに一体的に設けたことを特徴とする食器洗浄機。
【請求項７】
洗浄室を有すると共に、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、
前記扉と前記本体との間に閉扉状態を保持する複数の扉ロック機構を設け、この扉ロック機構に対応して扉が開放状態であることを検知する開扉検知手段を設けるとともに、前記扉ロック機構を構成するフックレバーを、前記扉を外扉部および内扉部から構成するうちの内扉部側に回動可能に軸支持したシャフトに一体的に設け、且つ該フックレバーと外扉部側との間に前記シャフトの反軸支側への移動を阻止する抜け止め手段を有することを特徴とする食器洗浄機。
【請求項８】
抜け止め手段は、フックレバーの反軸支側への移動に対し弾性的に当接阻止する当接部を、扉側に設けてなる構成としたことを特徴とする請求項７記載の食器洗浄機。
【発明の詳細な説明】
【０００１】
【発明の属する技術分野】
本発明は、食器類を出し入れする本体前面を開閉する扉に、複数の扉ロック機構を備えた食器洗浄機に関する。
【０００２】
【従来の技術】
従来、食器洗浄機においては、図１３（ａ）にその一例の概略構成を示すように、本体１の前面部に、１枚構成の扉２が下部を支点に開閉可能に設けられたものが一般的に供されていたが、このものは、扉２を矢視方向に開放させたときに、扉２が本体１の前方のスペースＸ１を大きく占めるため、実用上前方に広い設置スペースを必要とし、図示しないキッチンキャビネット上に設置した場合には、開放した扉２が例えば水道のコックなど他の施設部位に当たってしまうというような問題を呈していた。
【０００３】
そこで、最近では同図（ｂ）に示すように、２枚の扉３，４が連設された折り畳み構成のものや、或は同図（ｃ）に示すように上下に分離した２枚の扉５，６の構成のものが供されている。これによれば、いずれも矢視方向への開扉時に、一方の下扉４および６が必要とするスペースは、図（ｃ）に示すように略半分のスペースＸ２以下で済むことは明らかで、１枚扉２のような大きなスペースＸ１を必要とすることなくキッチンスペースを有効に活用できる。
【０００４】
【発明が解決しようとする課題】
ところで、そのうち上記図（ｂ）に示した上扉３と下扉４とが上方に折り畳まれて開放されるものでは、上扉３に対して下扉４が折り畳み可能に設けられた構成のため、その開閉動作時に振れ易い扉構成となることは避けられない。
また、図（ｃ）に示した上扉５と下扉６とが上方と下方にそれぞれ分かれて回動して開閉されるものでは、それぞれの自由端側（上扉５の下端部と下扉６の上端部）が接合するようにして１つの開口部を閉鎖する扉構成である。
【０００５】
従って、この種２枚扉構成では１枚扉構成に比して、いずれも若干安定性に欠けるのが難点である。しかも、この種２枚扉構成には確実に閉扉状態を保持するために通常扉ロック機構を備えているが、これを扉自由端側に設けることが困難或は不可能であるため、例えば図（ｃ）の下扉６の左右両側に設けたフックレバー７（一方のみ図示）を、本体１側に係合するようにした扉ロック機構を設けている。
【０００６】
しかしながら、上記したように下扉４および６は開閉動作に若干安定性に欠けるが故に、左右に大きく離間した位置にある２つの扉ロック機構に対して１つが完全にロック状態に至らない場合がある。この状態は、一見して閉鎖状態に見えるために不安定な閉扉状態のまま運転開始することになることから、この異常事態を回避すべく図示しない開扉検知手段を設けることが考えられている。ところが、この開扉検知手段にて異常が検知されると、機器の運転は不可となり故障と判断されるなど、やはり円滑な運転ができない不具合を生じ使い勝手が悪いものとなる。
【０００７】
本発明は上述の事情に鑑みてなされたものであり、従ってその目的は、扉の両側に設けた複数の扉ロック機構に対して、確実にロックした閉扉状態を容易に得られるようにして扉の操作性を改善し、使い勝手の良い食器洗浄機を提供するにある。
【０００８】
【課題を解決するための手段】
上記目的を達成するために、本発明の食器洗浄機は、第１の手段として、洗浄室を有するとともに、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、前記扉と前記本体との間に閉扉状態を保持する複数の扉ロック機構を設け、この扉ロック機構に対応して扉が開放状態であることを検知する開扉検知手段を設けるとともに、この開扉検知手段の検知結果をそれぞれ表示する表示手段を設けたことを特徴とする（請求項１の発明）。
【０００９】
斯かる構成によれば、複数のうちのいずれの扉ロック機構が不完全であるかが、該当する表示手段にて明確に表示され、この状態は使用者が容易に認識できるので、運転開始前に扉の閉鎖状態を完全な状態にし直すことが簡単確実にでき、以って扉の操作性が向上するとともに、円滑な運転が可能となり使い勝手の良い食器洗浄機を提供できる。
【００１０】
そして、請求項１記載のものにおいて、表示手段は、複数の扉ロック機構のそれぞれ近傍に位置して配設したことを特徴とする（請求項２の発明）。
【００１１】
斯かる構成によれば、どの位置の扉ロック機構が正常であるか不具合であるかが、表示動作する表示位置にて認識でき、従って表示手段としては複雑な機能は不要で、例えばＬＥＤ素子を点灯表示するのみの簡単な構成にて有効に機能させることができる。
【００１２】
また、上記目的を達成するために、本発明の食器洗浄機は、第２の手段として、洗浄室を有するとともに、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、前記扉と前記本体との間に閉扉状態を保持する複数の扉ロック機構を設けるとともに、この扉ロック機構に対応して扉の開閉状態を表示する表示手段を設け、この表示手段は、扉側に設けられ前記扉ロック機構を構成するフックレバーに指標を施し、このフックレバーの回動に応じて移動する前記指標を、前記扉に設けた可視部から視認できる構成としたことを特徴とする（請求項３の発明）。
【００１３】
斯かる構成によれば、フックレバーの機械的変位を利用して視認可能とした表示手段であるので、扉側に電気的な接続配線を施すことなく表示手段を構成でき、組立作業性が良くコスト的にも有利に製作できる。
【００１４】
更に、上記目的を達成するために、本発明の食器洗浄機は、第３の手段として、洗浄室を有するとともに、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、前記扉と前記本体との間に閉扉状態を保持する複数の扉ロック機構を設け、この扉ロック機構に対応して扉が開放状態であることを検知する開扉検知手段を設けるとともに、扉若しくは本体のいずれか一方に設けられた操作パネルに、複数の扉ロック機構の配置構成図を印刷し、この構成図上に前記開扉検知手段の検知結果をそれぞれ表示する表示手段を設けたことを特徴とする（請求項４の発明）。
【００１５】
斯かる構成によれば、複数の扉ロック機構を配置を記した例えば本体正面図を操作パネルに印刷表示して、開扉検知手段の検知結果をその図示上に同じ関係位置に、例えば表示手段として点灯表示させるようにしたもので、見易い操作パネルを利用して使用者が容易に認識できるとともに、本来必要な操作パネルにおける電気的な接続配線と併せて行なうことができ、効率良く組立作業ができる。特に操作パネルが本体側に設けてある場合には、回動する扉側への電気的接続配線が不要となり、一層簡易に構成できる。
【００１６】
更にまた、上記目的を達成するために、本発明の食器洗浄機は、第４の手段として、洗浄室を有するとともに、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、前記扉と前記本体との間に閉扉状態を保持する複数の扉ロック機構を設け、この扉ロック機構に対応して扉が閉鎖状態であることを検知する閉扉検知手段を設けるとともに、この閉扉検知手段の検知結果をそれぞれ異なる音声にて報知する報知手段を設けたことを特徴とする（請求項５の発明）。
【００１７】
斯かる構成によれば、扉が確実に閉鎖されたか否かが即時に判断できるとともに、上記発明と同様にどの扉ロック機構が不完全であるかも容易に認識できるので、表示手段の如き注視する確認動作は不要で、一層使い勝手が向上する。但し、表示手段との併用も可能で、この場合には、周りの騒音等で音声報知を聞き逃したときにも確実に対処できる点で有効となる。
【００１８】
そして、上記目的を達成するために、本発明の食器洗浄機は、第５の手段として、洗浄室を有するとともに、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、前記扉と前記本体との間に閉扉状態を保持する複数の扉ロック機構を設け、この扉ロック機構に対応して扉が開放状態であることを検知する開扉検知手段を設けるとともに、前記扉ロック機構を構成するフックレバーを、前記扉を外扉部および内扉部から構成するうちの外扉部側に回動可能に軸支したシャフトに一体的に設けたことを特徴とする（請求項６の発明）。
【００１９】
斯かる構成によれば、扉の閉鎖時にフックレバーが開扉検知手段と連携動作するときの反動も加わった外力が、シャフトに前方向への押圧力として作用するが、この外力に抗してシャフトは外扉部側にて強固に軸支されており、従って容易に撓むことがないのでフックレバーも変形することなく本体側との係合が確実にでき、且つそのロック状態に保持できて扉の操作性が向上し円滑な洗浄運転がなし得る。
【００２０】
そして更には、上記目的を達成するために、本発明の食器洗浄機は、第６の手段として、洗浄室を有すると共に、この洗浄室に対して食器類を出し入れするための開口部を有し、且つその洗浄室に収容された食器類を洗浄する洗浄機構を有する本体と、この本体に回動可能に設けられ前記開口部を開閉する扉とを備えたものにおいて、前記扉と前記本体との間に閉扉状態を保持する複数の扉ロック機構を設け、この扉ロック機構に対応して扉が開放状態であることを検知する開扉検知手段を設けるとともに、この扉ロック機構を構成するフックレバーを、前記扉を外扉部および内扉部から構成するうちの内扉部側に回動可能に軸支したシャフトに一体的に設け、且つ該フックレバーと外扉部側との間に前記シャフトの反軸支側への移動を阻止する抜け止め手段を有することを特徴とする（請求項７の発明）。
【００２１】
斯かる構成によれば、扉の閉鎖時にフックレバーがロック係合するときの反動を含む外力が、シャフトに前方たる反軸支側方向への押圧力として作用するが、該フックレバーは外扉部側との間に設けられた抜け止め手段にて移動が阻止される。従って、フックレバーやシャフトも撓むことがないのでフックレバーによる本体側とのロック係合が確実にでき、且つそのロック状態に確実に保持できるので、それだけ扉の操作性が改善され円滑な洗浄運転が期待できる。
【００２２】
また、請求項７記載のものにおいて、抜け止め手段は、フックレバーの反軸支側への移動に対し弾性的に当接阻止する当接部を、扉側に設けてなる構成としたことを特徴とする（請求項８の発明）。
【００２３】
斯かる構成によれば、扉の閉鎖時にフックレバーが係合ロックするときの反動を含む外力が、シャフトに前方向である反軸支側方向への押圧力として作用するが、該フックレバーは扉内に設けられた当接部にて弾性的に当接阻止される。従って、フックレバーの変形もなければシャフトが抜け出す方向に撓むこともなく、フックレバーによる本体側との係合が確実にでき、且つそのロック状態を確実に保持できて、扉の操作性の改善およびこれに伴い円滑な洗浄運転が期待でき使い勝手が良くなる。
【００２４】
【発明の実施の形態】
（第１の実施の形態）
以下、本発明の第１実施例につき、図１〜図３を参照して説明する。
まず、図１に示すように、食器洗浄機は内部に後述する洗浄機構を有する本体１１と、この本体１１の前面部の１つの開口部１２（図２参照）に設けられ扉としての上扉１３および下扉１４からなる、本実施例では上下に配した２枚扉構成を具備した構成にある。
このうち、本体１１は、外郭を形成する外箱１５の内部に、図２，３に示すように内箱１６を配設していて、該内箱１６の内部を洗浄室１７としている。この洗浄室１７は、その前面が開口した前記開口部１２を有するとともに、詳細は後述するが前記上扉１３および下扉１４の２枚扉構成にて、略同時に開閉できるようにしている。
【００２５】
しかるに、まず洗浄室１７内には、図２に示すように内底部に例えばシーズ線からなるヒータ１８を配設していて、これの上位に、噴射体として例えば２個を一対とした噴射アーム１９を回転可能に配設している。この噴射アーム１９は、外底部に設けられ洗浄室１７内と循環連通した図示しない洗浄ポンプに連結され、該洗浄ポンプから圧送された洗浄水を上方に向けて噴射させるとともに、自身も噴射反動を利用して回転可能に設けられていて、所謂洗浄機構２０を構成している。
【００２６】
この洗浄機構２０の上方には、図２中にニ点鎖線で示す食器かご２１が、棚部２２上をスライド可能に収容され、該食器かご２１に収納された食器類（図示せず）は、上記洗浄機構２０による噴射水により洗浄されるとともに、前記開口部１２を介して出し入れされる。
その他、本体１１内には、洗浄室１７内と連通接続された図示しない洗浄水を給排水するための給水弁を有する給水装置や、排水ポンプを有する機外への排水装置、更には乾燥用のブロワを有する送風装置等を装備している。
【００２７】
また、本体１１の前面下部には、特には図１に示すように前記下扉１４と略面一とする外箱１５の前面部に操作パネル２３を設けている。この操作パネル２３には、使用者が必要な設定操作をするための例えば電源の「入り／切り」や、洗浄コースの選択設定等の各種操作キー２４と、残り時間等を表示する表示部２５を備えている。そして、この操作パネル２３の裏側には、図３に示すように、例えばマイクロコンピュータからなる制御装置２６を配設しており、この制御装置２６によって、上記操作パネル２３の操作入力に基づき、予め記憶されたプログラム等に沿って各種の行程動作を制御するようにしている。
【００２８】
さて、前記した上下の２枚扉構成とした上扉１３および下扉１４は、具体的には以下のように構成されている。
まず、上扉１３は、図３に示すように、上辺部の左右両端部（一方の右端部のみ図示）を本体１１から延設されたヒンジ部材２７によって支持されるとともに、軸２８を中心に上下方向に回動可能に取付けており、図２では開扉状態を示すように上方へ回動し開放している（尚、ヒンジ部材２７等複数の同一構成部分は、図３に図示されるように一方の構成部分につき説明する）。
【００２９】
更には、上記軸２８には捩じりコイルばね２９が巻装されていて、その弾発力が上記上扉１３を開放方向に付勢する付勢手段として機能している。即ち、この捩じりコイルばね２９は、上扉１３が閉鎖状態にあるとき十分な弾発力が蓄積された状態で、その一端が、固定されたヒンジ部材２７に係合保持され、他端が回動する上扉１３側（閉扉状態）の軸２８中心より上部に宛がわれた状態にて装着されている。
一方、下扉１４は、下辺部の左右両端部（やはり一方の右端部のみ図示）をそれぞれヒンジ部材３０および軸３１によって本体１１に上下方向に回動可能に取付けられており、図２では開扉状態を示すように下方へ回動し略水平状態位置まで開放している。
【００３０】
そして、上記のように開閉動作する両扉１３，１４は、図３に示す連動機構３２により連動して開閉可能な構成としている。即ち、この連動機構３２は、上記上扉１３と下扉１４との間に連携して設けられ、まず上扉１３側について述べると、その左右両端部（一方のみ図示および説明する）に上アーム３３が取付固定され、その裏側から突出した他端にワイヤ３４の一端が連結されている。一方、下扉１４には、やはり左右両端部（一方のみ図示）の下方に下アーム３５が連結固定され、その裏側に突出した他端に上記ワイヤ３４の他端が連結される。
【００３１】
しかるに、これら上，下アーム３３，３５の各扉１３，１４から突出した他端は、内箱１６と外箱１５との両側壁間に収容配置され、従って両扉１３，１４が回動すると両アーム３３，３５も同時に各軸２８，３１を中心に回動し、図２に示す本体１１前面の長孔４２ａ，４２ｂを出入りする。そして、これら上下に相対するアーム３３，３５のそれぞれに連結されたワイヤ３４は、途中に複数のガイドローラ３６ａ〜３６ｄを介して張設され、且つテンションプーリ３７にて常に所定の緊張状態に保持されて、該ワイヤ３４がガイドローラ３６ａ〜３６ｄから不用意に外れないようにしていて、以って連動機構３２を構成している。
【００３２】
従って、斯かる連動機構３２によれば、図３に示す閉扉状態から例えば、下扉１４が回動され図２の開放状態に至る動作につき述べると、下扉１４に連結された下アーム３５も同じ軸３１を中心に回動するとともに、ワイヤ３４を連結した他端は上方たる矢印Ａ方向に回動する。これに伴い、ワイヤ３４が弛緩されるため、上アーム３３と一体的な上扉１３は、開放方向に付勢する捩じりコイルばね２９の弾発力によって上方に回動し始め、遂には該上扉１３を開放動作する。
【００３３】
また逆に、開扉状態から下扉１４を閉鎖方向に回動させた場合には、ワイヤ３４は下アーム３５の回動（反矢印Ａ方向）により下方に引張られ、上アーム３３を本体１１側へ牽引する。これにより、開放状態の上扉１３を付勢手段たる捩じりコイルばね２９の弾発力に抗して回動し、閉鎖することができる。
上記のように、上扉１３は付勢手段により開放方向に付勢されているので、図３に示す閉扉状態に保つには、連動機構３２を拘束した状態にする必要があり、このため、連動する下扉１４を閉鎖状態に保持する扉ロック機構３８を設けている。
【００３４】
この扉ロック機構３８は、下扉１４と本体１１との間にわたって両側部（一方のみ図示および説明する）にそれぞれ配設されている。具体的には、特に図３に示すように中空状をなす下扉１４内に、左右に長く延びる横軸状にて回転可能に軸支された基軸３９を有し、その両端部（一方のみ図示）にそれぞれフックレバー４０を一体に形成している。このフックレバー４０は、先端部にフック部４０ａを下方に向けて形成しており、該フック部４０ａは引張りコイルばね４１により常に下方に付勢されている。しかるに、このフック部４０ａを有する先端部は、下扉１４の裏側に突出し本体１１前面から内方に進入して、本体１１側と係合することで下扉１４を、その閉鎖状態にロック保持するもので、該本体１１側にはスイッチケース４３（詳細は後述する）を利用してフック部４０ａを係合保持するため、該フック部４０ａと対向して開口する係合口４３ａを本体１１前面に臨んで形成している。
【００３５】
このような構成からなる扉ロック機構３８には、ロック解除用の押し釦４４が設けられていて、この押し釦４４は前記基軸３９と一体に、その中央部位から下方に垂下状態に設けられ、且つ下扉１４から前方に一部突出した形態に形成されている。また、この押し釦４４の上部に近接して、下扉１４の前面に横軸状態に懸架された取っ手４５を備えており、使用者が片手で押し釦４４を押し操作しながら取っ手４５に手を掛けて、下扉１４を開放操作できるようにしている。
【００３６】
ここで、前記したスイッチケース４３について述べるに、これは下扉１４が開放状態にあることを検知する所謂開扉検知手段４６を構成するもので、該スイッチケース４３内にはマイクロスイッチ４７と、そのアクチュエータ４８とを具備してなる。即ち、揺動可能なアクチュエータ４８の一端（図示左端）は、前記フックレバー４０の先端の段部４０ｂと当接係合する位置関係にあって、他端は上記マイクロスイッチ４７をオン／オフ作動する。加えて、このマイクロスイッチ４７がオン作動し開扉状態であることを検知したとき、その検知結果の表示手段として発光素子のＬＥＤ４９を、図１に示すように下扉１４前面の左右両側部に配設し点灯表示するようにしている。
【００３７】
しかして、各ＬＥＤ４９は、下扉１４の内方に位置する左右の扉ロック機構３８の近傍にあって、この左右に位置するＬＥＤ４９の点灯表示に基づき、これに対応した上記扉ロック機構３８の動作（ロック）状態が判断できるとともに、下扉１４の開閉状態を知ることができる。また、このような構成からなる開扉検知手段４６の検知結果は、前記した制御装置２６に入力され、これに応じた運転制御が行なわれる。
【００３８】
尚、図１に示すように、上扉１３の前面部の上部には、前記洗浄室１７内からの排気をするための排気口５０を設けるとともに、その裏面側には図２に示すような方向性を有するリブ５１を設けて、上扉１３の開放時に該裏面に付着した水滴がリブ５１に案内されて両側方へ流下するようにし、図示しない食器類を水滴で濡らしてしまうことがないようにしている。
【００３９】
次に、上記構成の食器洗浄機の作用について述べる。
今、図１，３に示すように扉たる上，下扉１３，１４にて、本体１１前面の開口部１２が閉鎖され、その状態を扉ロック機構３８により保持されたロック状態から、その扉を開放する場合につき述べる。この場合、例えば操作パネル２３にて電源「入り」とした場合には、詳細は後述するが開扉検知手段４６を介して閉扉状態であることをＬＥＤ４９が点灯表示する。
【００４０】
この状態から、使用者が取っ手４５を片手で掴みながら、その指先で押し釦４４を押圧操作する。すると、基軸３９が回動し一体のフックレバー４０も引張りコイルばね４１の引張力に抗して回動され、そのフック部４０ａを上方に移動させる。これにより、フック部４０ａはスイッチケース４３の係合口４３ａ下縁との係合が解かれ、扉ロック機構３８による下扉１４の閉鎖ロック状態が解除される。これと同時に、開扉検知手段４６を構成するアクチュエータ４８の一端が、フックレバー４０先端の段部４０ｂと当接係合して、これまでの押し下げていた状態から解放し、従って揺動する他端はマイクロスイッチ４７の押圧を解除する。
【００４１】
これに伴い、マイクロスイッチ７４が例えばオフ作動し、下扉１４の開放状態（この時点では開放可能な状態）を検知するとともに、併せて上記扉ロック機構３８によるロック状態が解除されたことも検知するもので、その検知結果は下扉１４の表示手段であるＬＥＤ４９を消灯する（但し、電源「切り」の状態であればＬＥＤ４９は、当初より消灯したままである）。
【００４２】
その状態から続いて、使用者が取っ手４５を掴んだまま下扉１４を開放操作すると、連動機構３２を構成する下アーム３５も軸３１を中心に図３の矢印Ａ方向に回動することにより、上扉１３を閉鎖状態に保持すべく引張って緊張状態にあったワイヤ３４を弛緩させることとなり、従って上アーム３３を介して上扉１３の閉鎖方向への引張りが解除されることにより、上扉１３に装着された捩りコイルばね２９の弾発力による開放方向への付勢力によって該上扉１３は所定位置まで開放回動される。
【００４３】
このとき、上記連動機構３２は、下扉１４の開放度に対して上扉１３の開放度を大きく設定してあり、図２に示すように下扉１４が略水平位置まで開放するのに対して、上扉１３を斜め上方位置まで大きく開放させる。
そして、この開扉状態において開口部１２から引出した図２に二点鎖線で示す食器かご２１内に、図示しない食器や箸、スプーン等を収容した後、洗浄室１７内に再びスライド収納する。この場合、上扉１３は斜め上方に大きく開放しているので、食器かご２１に対する食器類の着脱操作が容易にできる。
【００４４】
しかして、この開扉状態から再び扉を閉鎖操作することになる。この場合、使用者は下扉１４のみ閉鎖操作すれば、連動機構３２を介して上扉１３も連動して閉鎖される。即ち、使用者は取っ手４５に手を掛けて下扉１４を上方に回動するとともに、略直立に起立した閉鎖位置では本体１１側に向って押圧操作する。この間に、連動機構３２の下アーム３５が反矢印Ａ方向に復帰回動して、これに連結されたワイヤ３４を下方に引張り、従って上アーム３３を引張ることとなって上扉１３を捩りコイルばね２９の付勢力に抗して閉鎖方向に回動させ、該上扉１３も略直立に垂下する閉鎖位置まで回動され、以って本体１１前面の一つの開口部１２に対し、２枚の扉１３，１４にて閉鎖される。
【００４５】
また、このとき扉ロック機構３８は、スイッチケース４３の係合口４３ａ下縁部に、フックレバー４０のフック部４０ａが引張りコイルばね４１により弾性的に係合保持されるとともに、開扉検知手段４６にあってはフックレバー４０先端の段部４０ｂがアクチュエーター４８の一端と当接係合して押し下げ、この揺動にて他端ではマイクロスイッチ４７をオン作動する。この結果、下扉１４前面のＬＥＤ４９は点灯表示するとともに、制御装置２６には検知信号が入力され上記扉ロック機構３８による閉扉状態が正常にロックされていることを条件に運転開始可能な待機状態にさせる。
【００４６】
ところが、今、下扉１４が完全に閉鎖されず、例えば右側の扉ロック機構３８のフックレバー４０によるロック保持が不完全な場合には、対応する右側の開扉検知手段４６のマイクロスイッチ４７がオン作動せずオフのままとなり、従って右側のＬＥＤ４９は消灯したままとなり、左側の正常に点灯表示したＬＥＤ４９に対して、右側の扉ロック機構３８が不完全であることを判然と視認できる。
【００４７】
従って、この場合には、下扉１４前面の主に左側を本体１１側に押圧してやれば該下扉１４は確実に完全な閉鎖状態に至り、当該扉ロック機構３８も正常なロック保持がなされるとともに、開扉検知手段４６によるマイクロスイッチ４７のオン作動のもとに右側のＬＥＤ４９が点灯表示する。これにより、使用者は上記不具合の修正が有効に行なわれたことを確認できるとともに、正常な運転可能な待機状態となすことができる。そして、下扉１４が正常な閉鎖状態に達することは、上扉１３においても連動機構３２を介して連動し正常な閉鎖位置まで回動され、以って開口部１２は２枚扉構成においても確実に閉鎖され、その状態をロック保持される。
【００４８】
尚、このとき、電源「切り」の状態であった場合には、修正後ＬＥＤ４９による点灯表示はできないが、以降、続いて行なう操作パネル２３の操作キー２４にて電源「入り」操作をはじめ、洗浄コース等の設定操作が行なわれるので、食器洗浄機の運転開始に先立ち事前に認知し得て不具合有れば確実に対処できるので、何ら問題はない。
【００４９】
しかして、各扉１３，１４による上記正常な閉鎖保持が行なわれた以降は、操作パネル２３にて所望の設定操作を行ない運転スタートさせる。制御装置２６は、上記開扉検知手段４６および操作パネル２３からの入力信号を受けて、予め記憶されたプログラムに沿って、「洗い・すすぎ・乾燥」の各行程を自動的に行なうもので、噴射アーム１９等を有する洗浄機構にて図示しない食器類に噴射水を当てて「洗い・すすぎ」が行なわれ、また図示しないブロワによる送風装置にて「乾燥」が行なわれるもので、詳細な説明は省略する。
【００５０】
このように、上記構成によれば次の効果を有する。
本構成では、扉が上扉１３と下扉１４の２枚で構成され、使用スペースとしてキッチンなどに有効に設置できることはもとより、連動機構３２により、一方の下扉１４の開閉操作のみで上扉１３を連動して開閉できるため、その開閉操作は簡単で頗る使い勝手が良い。
【００５１】
そして、特に本構成のものにおいては、下扉１４と本体１１との間に閉扉状態を保持する複数の扉ロック機構３８を設け、この扉ロック機構３８に対応して該下扉１４が開放状態であることを検知する開扉検知手段４６を設けるとともに、この開扉検知手段４６の検知結果をそれぞれ表示する表示手段としてのＬＥＤ４９を設けてなる構成とした。従って、下扉１４を閉鎖操作したにもかかわらず完全な閉鎖位置に至らず、対向する本体１１側に対して密閉状態が得られない所謂未だ開扉状態にある場合には、これを開扉検知手段４６が検知しＬＥＤ４９にて表示するようにした。
【００５２】
具体的には、上記実施例では扉ロック機構３８による正常なロック状態にある閉扉状態では点灯表示し、逆に不完全な場合には消灯状態として表示される。これにより、単に不具合であることを表示するだけでなく、下扉１４の左右両側部のうち、どちらのＬＥＤ４９の点灯（消灯でも可）表示かを目視することで、いずれの個所のものが不具合であるか一目瞭然に確認できる。従って、不完全なまま運転開始の操作をした場合には、運転が開始されず、むしろ故障であるとの誤った判断がなされるなど、実用上非常に使い勝手が悪くなるが、本構成によればこのような憂いも回避できる。
【００５３】
斯くして、左右両側に大きく離間した位置に扉ロック機構３８が設けられていても、確実に閉扉状態にロック保持することができ、使い勝手に優れ円滑な運転が期待できる。
しかも、上記表示手段たるＬＥＤ４９は、左右の各扉ロック機構３８のそれぞれ近傍に対応配置して設けたので、どの位置の扉ロック機構３８が不具合であるかが認識できる表示機能として、格別な精度や複雑な手段を講じることが不要で、例えば本実施例の如く発光素子のＬＥＤ４９を点灯表示するのみの簡単な構成にて有効な表示機能を得ることができる。
【００５４】
尚、上記実施例における開扉検知手段４６は、換言すれば閉扉検知手段としての機能も有するものであると言えるが、扉が完全に閉鎖されず未だ開放状態にあることを防止する意図に基づき、本実施例では開扉検知手段４６と称するとともに、その検知結果を表示するＬＥＤ４９は、その点灯若しくは消灯のいずれの手段でも採用可能である。
【００５５】
上記実施例に対し、図４〜図１２は本発明の第２〜第８実施例を示したもので、上記第１実施例と同一部分には同一符号を付して説明を省略し、異なる部分についてのみ以下説明する。
【００５６】
（第２の実施の形態）
図４および図５は、本発明の第２実施例を示したもので、それぞれ要部の一部を破断して異なる動作状態を示す拡大図である。
このものは、上記第１実施例とは扉の開閉状態を示すロック状態にあるか否かを表示する表示手段が異なるもので、他は実質的に共通の構成にある。
【００５７】
即ち、図４は本実施例における扉ロック機構５２により扉を閉鎖位置にロック保持した状態を示しており、その扉ロック機構５２は、上記第１実施例とは両側部に配したフックレバー５３においてのみ異なるが、その相違点は反フック部５３ａ側である基端部に例えば一部着色した指標５３ｃを有するのみで、形状的には同一で先端には段部５３ｂも備えて、開扉検知手段４６のアクチュエーター４８と対峙した構成にある。
【００５８】
しかるに、このフックレバー５３を設けた下扉５４も、上記第１実施例とは異なる表示手段を構成する可視部５５を、左右両側部に設けた構成において相違する。即ち、この下扉５４は、例えば前面側を形成する外扉部５４ａと、裏側の内扉部５４ｂとで中空状に組立構成され、そのうちの外扉部５４ａにおいて、内部の上記フックレバー５３の指標５３ｃと対向した部位に、透孔或は透明部材からなる可視部５５を形成している。
【００５９】
そして、この可視部５５から内部のフックレバー５３に施した指標５３ｃが見易くするために、該指標５３ｃが回動する軌跡に沿って円弧状に形成され、前面側に膨出した形状をなしている。斯くして、本実施例では上記指標５３ｃと可視部５５とで、扉たる下扉５４および連動する上扉１３の開閉状態と、該下扉５４が正常にロックされた状態であるか否かを表示する表示手段を構成するもので、以下にその作用につき説明する。
【００６０】
尚、図５は、ここでは下扉５４が閉鎖する直前の状態を示したもので（これは押し釦４４による開放操作直後の状態とも同じ）、また、下扉５４の開閉動作と連動して上扉１３も開閉するが、該上扉１３については上記第１実施例と同様につき、その説明は省略する。
しかして、下扉５４が開放状態にあるときは、フックレバー５３のフック部５３ａ側は、引張りコイルばね４１に引張られて最も下方に回動した位置に規制されていて、これが下扉５４の閉鎖移動が進にで図５に示す閉鎖直前に至り、フック部５３ａは係合口４３ａの下縁部を摺動しつつ上記引張りコイルばね４１の付勢力に抗して上方に回動し、その先端の段部５３ｂにアクチュエーター４８の一端と当接係合する。
【００６１】
しかる後、フック部５３ａが係合口４３ａ下縁を乗り越えると、下方に回動して該係合口４３ａと確実に係合するに至り、図４に示すようにアクチュエーター４８の一端は下方に押し下げられ、他端で図示しないマイクロスイッチを作動する。従って、開扉検知手段４６は、下扉５４が確実に閉鎖され、且つその状態にロックされたことを検知し、図示しない制御装置に入力する。
【００６２】
一方、表示手段を構成するフックレバー５３に施された指標５３ｃは、先の図５の閉鎖直前まで可視部５５からは視認できなかったが、図４に示す可視部５５と対向する位置に移動してきており、使用者は外部から容易に確認することができ、これにより下扉５４が閉鎖され扉ロック機構５２による正常なロックがなされたことを知ることができる。
【００６３】
逆に、上記ロック状態が不完全な場合には、フックレバー５３の所定位置までの回動移動がないため、可視部５５からは指標５３ｃが見えない、若しくは一部しか見えない不完全な状態であるため、斯かる不具合な場合でも直ちに知ることができ、しかも左右両側部に設けてあるので、左右どちらの不具合かも同時に分かる。これにより、上記第１実施例と同様に、扉の閉鎖が不完全で不具合があったとしても、それは運転開始前に容易に修正対処でき、常に確実に閉扉状態にロック保持することができて、使い勝手に優れ円滑な運転が期待できる。
【００６４】
（第３の実施の形態）
次に、図６および図７は、本発明の第３実施例を示すもので、図６は図１相当図で、図７は要部の拡大図である。
このものも、上記第１実施例とは表示手段においてのみ異なるもので、その表示手段は操作パネル５６に設けられている。
即ち、この操作パネル５６には、上記第１実施例と同様の各種コース設定等するための操作キー２４や、残り運転時間等を表示する表示部２５を有する以外に、例えば本体１１の前面である正面図を模式的に印刷表示した印刷部５７を設けている。この印刷部５７には、図６に示す左右両側部（一方のみ図示）に配した扉ロック機構３８の位置関係に合わせて、図７に拡大して示すように印刷部５７上の左右にＬＥＤ５８を配設している。つまり、この印刷部５７は本体１１の正面図の如く、少なくとも複数の扉ロック機構３８に対応した位置が簡単に推測できる配置構成図であれば良い。
【００６５】
従って、今、下扉１４を閉鎖したときに、開扉検知手段４６が左右いずれか一方の扉ロック機構３８によるロック保持が不完全であることを検知した場合には、その検知結果に基づき印刷部５７上の左右いずれか一方のＬＥＤ５８が点灯し、他方は消灯状態にある。これにより、今、点灯側のロックが正常に行なわれたことを表示するのであれば、消灯側の扉ロック機構３８が不完全であることが察知でき、その不具合を直ちに修正対処できる。
【００６６】
しかも、斯かる表示手段は見易い操作パネル５６を利用して使用者が容易に知得できるとともに、本来必要な操作パネル５６部分における電気的な接続配線と併せて行なうことで、効率良く組立作業ができる。特に本実施例に示すように操作パネル５６が本体側に設けてある場合には、回動する扉側への電気的接続配線が不要となり、一層簡易に構成できる利点を有する。
尚、表示手段としてＬＥＤ５８を用いたが、これに限らず電気的な発光手段は種々考えられるし、また前記したように印刷部５７は複数の扉ロック機構３８の位置付けが察知できる配置構成図であれば良いなど、種々変更して実施できるものである。
【００６７】
（第４の実施の形態）
そして、図８は本発明の第４実施例を示す図１相当図で、この実施例はこれまでの扉の開閉状態を示す表示手段に代えて、音声による報知手段を備えたものである。
即ち、このものも上記第１実施例と同様の扉ロック機構３８を有し、これに関連して連携動作する閉扉検知手段５９を備えている。この閉扉検知手段５９は、第１実施例における開扉検知手段４６と実質的に共通の構成をなしていて（構成部分は同一符号で示す）、ただ本実施例では扉が完全に閉鎖されたことを検知することを意図とする点で異なり閉扉検知手段５９としたものである。
【００６８】
しかるに、上記閉扉検知手段５９では、複数の扉ロック機構３８が正常なロック状態を得、更にこれらに対応したマイクロスイッチ４７がオン作動したとき、これを条件とした検知信号に基づき操作パネル６０に設けたスピーカ６１から音声報知するようにしたものである。所謂、下扉１４が完全に閉鎖された状態のとき、正常である旨の音声報知を行なうようにしたもので、使用者は直ちに知ることができて速やかに運転開始などの次操作ができる。
【００６９】
尚、このときの報知時間としては、５秒以下に抑えることで長時間報知による音声の煩わしさから回避できる。また、上記実施例では左右のうちいずれか一方でもマイクロスイッチ４７が作動しない場合、所謂扉ロック機構３８のいずれか一方が不完全である場合、音声報知がなく閉鎖状態が不完全であることは容易に知ることができても、左右どちらが不具合か明確でない。
【００７０】
従って、更に詳しい情報を知りたい場合には、音声報知による用途を拡大して、例えば右，左の位置に合わせて音色や音調が異なるブザー報知、或は如何なる状態でも話し言葉でその状態報知を行なうことで、より詳細な検知情報を容易に確認することができる。
その他、上記第１実施例の如く表示手段と併用することも可能で、斯かる場合には周りの騒音等により音声報知を聞き逃したときでも確認できて有効であるなど、種々に展開できる。
【００７１】
（第５の実施の形態）
次に、図９は本発明の第５実施例を示す一部破断した要部の拡大図である。    このものは、下扉１４の閉鎖時に扉ロック機構３８が確実にロックされず不安定な状態を招く要因の一つとして、基軸３９やフックレバー４０の撓み変形であることに着目して、これに対処したものである。
即ち、下扉１４は、その前面を側を形成する外扉部１４ａと、裏側を形成する内扉部１４ｂとから強固な中空状に組立構成され、その外扉部１４ａに一体若しくは一体的に固定された複数の軸支部材６２（１個のみ図示）にて基軸３９を支え、従って該基軸３９と一体のフックレバー４０、および押し釦４４を支持した構成にある。
【００７２】
上記軸支部材６２は、更に具体的には基軸３９の左右長手方向に沿う複数個所に配設され、外扉部１４ａ側から内方に向け延びた先端部は開放した溝部６２ａを挟んで二股状をなし、この複数の溝部６２ａ間に基軸３９が回動可能に懸架されている。そして、上記溝部６２ａの開放側を弾性板６３にて塞ぐように取り付け、以って外扉部１４ａ側に軸支された基軸３９を回動可能としながら、その振れ（遊び）を極力防ぐようにするとともに、該溝部６２ａから反軸支側（図示右方）への抜け止めとしている。
【００７３】
斯かる構成によれば、基軸３９およびフックレバー４０が、閉扉時に受ける前方である矢印Ｂ方向への外力に対し、これに抗して支持する複数の軸支部材６２が強固な外扉部１４ａ側に設けられているので、これら基軸３９およびフックレバー４０は容易に撓むことなく支持され、従って扉ロック機構３８として正常なロック動作が期待できる。
【００７４】
因みに、上記した閉扉時に受ける矢印Ｂ方向への外力は、閉扉直前におけるフックレバー４０は、図中二点鎖線で示す位置にあって、先端部の段部４０ｂは開扉検知手段４６を構成するアクチュエーター４８の一端と当接係合する。即ち、フックレバー４０は、下扉１４とともに反矢印Ｂ方向に移動（回動）されて、係合口４３ａを通過するやアクチュエーター４８と当接係合する。そのときの衝撃により、フックレバー４０には矢印Ｂ方向への比較的大きな分力たる外力が生じる。しかるに、上記したように外扉部１４ａ側に固定された軸支部材６２は、上記衝撃に伴う反動力も加味した外力を受けて十分に耐える強度を有しており、加えて外力は基軸３９が挿入される溝部６２ａの開放側とは反対方向に作用するため、該基軸３９は抜け出るおそれもなく確実に軸支され、且つフックレバー４０も撓み変形することはない。
【００７５】
仮に、基軸３９が矢印Ｂ方向に撓んだ場合には、当然フックレバー４０も同方向に撓み変形することになる。すると、そのフック部４０ａは、スイッチケース４３の係合口４３ａに対し図示左方に後退した位置となり、引張りコイルばね４１により下方に回動されても該係合口４３ａの下縁と係合できないケースが多く発生することになる。所謂、下扉１４を閉鎖操作したにもかかわらず完全な閉鎖状態を得ず、扉ロック機構３８も正常なロック保持ができない状態を招くのである。
【００７６】
これに対し、上記した本実施例によれば、閉扉時に矢印Ｂ方向への外力が発生しても、基軸３９およびフックレバー４０が撓むことなく外扉部１４ａ側に支持され、下扉１４が不完全な閉鎖状態となることを回避でき、それだけ扉の操作性が改善できて使い勝手の良い食器洗浄機を提供できる。
【００７７】
（第６の実施の形態）
図１０は、本発明の第６実施例を示す図９相当図である。
この実施例は、特に上記第５実施例と同様の趣旨に基づき案出されたもので、第５実施例ではフックレバー４０を外扉部１４ａ側に軸支させた構成であったのに対し、後述するように内扉部６４ｂ側に軸支した構成とするとともに、フックレバー６７に抜け止め手段を講じたものである。
【００７８】
即ち、まず下扉６４は、外扉部６４ａおよび内扉部６４ｂからなる中空状をなしていて、そのうちの内扉部６４ｂ側に一体若しくは一体的に固定された複数の軸支部材６５（１個のみ図示）にて基軸６６を支え、従って該基軸６６と一体のフックレバー６７、および押し釦６８を支持した構成にある。また、上記軸支部材６５は、上記第５実施例と同様に基軸６６の左右長手方向に沿って複数個所に設けられ、内扉部６４ｂ側から前方に延びた先端部には開放した溝部６５ａを挟んで二股状をなし、これら複数の溝部６５ａ間に基軸６６が回動可能に懸架されている。そして、上記溝部６５ａの開放側を弾性板６３にて塞ぐように取り付け、基軸３９を回動可能に軸支しながら、その振れ（遊び）を極力防ぐようにするとともに該溝部６５ａから容易に抜け出ないように軸支している。
【００７９】
一方、扉ロック機構７０を構成する上記フックレバー６７には、反フック部６７ａ側の基端部に小突部６７ｃを突設し、外扉部６４ａの裏面である当接部６９と当接した状態で回動可能な構成としている。そのために、上記小突部６７ｃは、極力摩擦抵抗等が小さい尖鋭な小突起、或は細リブから構成されている。尚、更に摩擦抵抗を小さくするためには、上記外扉部６４ａ自体を金属製として、上記小突部６７ｃが摺接する当接部６９との摩擦抵抗を小さくしたり、或は当接部６９を金属製の別部材から構成するのが有効である。
【００８０】
斯かる構成において、基軸６６およびフックレバー６７が閉扉時に矢印Ｂ方向への外力を受けるのは、上記第５実施例と同じ作用に基づくもので、図中二点鎖線で示すフックレバー６７の段部６７ｂと開扉検知手段４６のアクチュエーター４８との当接係合によるもので、フック部６７ａが係合口４３ａに係合するまで作用し、特に閉鎖時の衝撃に対する反動も加わり大きな外力が加わる。
【００８１】
この外力は、本実施例の場合、基軸６６が内扉部６４ｂ側に軸支されているので軸支部材６５の溝部６５ａにより軸支された側とは逆の反軸支側に作用し、所謂溝部６５ａの開放側に作用し抜け易い。これに抗して、弾性板６３が弾性的に支持する構成にあるが、上記外力を受けて弾性変形し易く、依って特にフックレバー６７近傍の基軸６６部分には大きな外力が加わり、それだけ矢印Ｂ方向へ大きく撓み変形し易い。
【００８２】
しかしながら、本実施例ではフックレバー６７の基端部に形成した小突部６７ｃが、外扉部６４ａの当接部６９と当接しており、矢印Ｂ方向である反軸支方向への移動を阻止するので、基軸６６も軸支部材６５から抜き出る方向の移動が阻止された状態に支持固定されるのである。従って、斯かる小突部６７ｃは当接部６９との当接により、閉扉時に生ずる大きな外力に対して基軸６６の抜け止めの作用をなし、所謂抜け止め手段しての機能を発揮するものである。
【００８３】
しかして、本実施例においても結果的に上記第５実施例と同様に、基軸６６やフックレバー６７が不用意に移動や変形することがなく、下扉６４の閉鎖に伴う扉ロック機構７０による正常なロック動作が確実に行なわれ、操作性や使い勝手が向上する。
尚、本実施例に対し、上記第１〜第３実施例にて開示したような表示手段や報知手段を併用することは可能で、斯かる場合には一層使い勝手の向上が期待できる。
【００８４】
（第７の実施の形態）
また、図１１は本発明の第７実施例を示す図９相当図で、特には上記図１０にて開示した第６実施例と類似した趣旨構成としている。但し、扉ロック機構３８および開扉検知手段４６については、先の第１実施例と共通の構成にある。
即ち、本実施例では、下扉７１が外扉部７１ａと内扉部７１ｂとから構成され、そのうちの内扉部７１ｂ側に突設された軸支部材７２の溝部７２ａに、基軸３９を挿入支持した所謂内扉部７１ｂ側に軸支された基本的構成において上記第６実施例と共通としている。
【００８５】
ところが、フックレバー４０の基端部外周が摺接する当接部７３は、例えば樹脂成形にて外扉部７１ａが形成され、周囲を薄肉に形成して弾力性に富んだ構成としていて、この場合、内方に突出した形態にあって、フックレバー４０の基端部の円弧状外周面と弾力的に当接している。尚、斯かる外扉部７１ａの前面には、装飾板７５が被着され、表面に現われる当接部７３の薄肉等の形跡を覆い美観を損なわないようにしている。
【００８６】
斯くして、下扉７１の閉鎖時に図中二点鎖線で示すフックレバー４０が実線で示す位置まで移動（回動）する間に、開扉検知手段４６のアクチュエーター４８との連携動作に伴い矢印Ｂ方向の外力が生じ、基軸３９には反軸支側である溝部７２ａの開放側への外力が作用する。しかるに、上記外力に対抗する弾性板６３に加えて、基軸３９と一体のフックレバー４０が当接部７３にて受け止められ、しかも当接部７３の弾力は、矢印Ｂ方向たる反軸支側への移動に対して、より強く抵抗力が増す構成なので当該移動を阻止するに有効である。
【００８７】
従って、本実施例においても、結果的に上記第６実施例と同様に、基軸３９やフックレバー４０が不用意に移動や変形することがなく、下扉７１の閉鎖に伴い扉ロック機構３８による正常なロック動作が確実に行なわれ、操作性や使い勝手が向上する。
尚、当接部７３は外扉部７１ａと一体に樹脂成形する構成に限らず、下扉７１内に設ければ良いもので、例えば別部材の弾性部材をフックレバー４０と弾性的に当接する構成にすることで、該フックレバー４０の回動時の摩擦抵抗を小さくできるなど、上記構成と実質的に同様の作用効果が期待できるものである。
【００８８】
（第８の実施の形態）
そして、図１２は本発明の第８実施例を示す図９相当図で、特には図１０にて開示した第６実施例と類似した軸支構成にあって、抜け止め手段が異なる以外は共通である。
即ち、本実施例における軸支構成は、下扉６４が外扉部６４ａと内扉部６４ｂとから構成され、そのうちの内扉部６４ｂ側に突設された軸支部材６５の溝部６５ａに、基軸６６を挿入支持した構成にあって、この基軸６６と一体に形成されたフックレバー７４に、所謂抜け止め手段としての突部７４ｃを基軸６６中心より上位に突設したものである。
【００８９】
上記抜け止め手段は、下扉６４の閉鎖直前の未だ開放状態にあるとき、フックレバー７４は段部７４ｂとアクチュエーター４８との当接係合により図中実線で示す状態にあって、その反フック部７４ａ側の基端部に設けた上記突部７４ｃが、外扉部６４ａの当接部６９に摺接して、当該フックレバー７４との間に隙間が無い状態となる。従って、この状態で矢印Ｂ方向の外力が加わっても、突部７４ｃが当接部６９にて衝止された状態にあるので、該フックレバー７４、従って基軸６６が矢印Ｂ方向たる反軸支側に移動するのが阻止され、上記突部７４ｃは基軸の抜け止め手段として機能する。
【００９０】
しかるに、フック部７４ａが係合口４３ａと係合し、所謂扉ロック機構７６として正常に下扉６４を閉鎖したロック状態に至ると、このときの回動により上記突部７４ｃは上方に移動し（二点鎖線で示す）、当接部６９から離反して隙間を生じるようになる。このことは、下扉６４の閉鎖時に生ずる衝撃的な大きな外力（矢印Ｂ方向）に対しては、突部７４ｃと当接部６９とが当接して該フックレバー７４および基軸６６を反軸支側への移動を有効に阻止し、その後、フックレバー７４が係合ロックする回動に伴い該突部７４ｃが摺接する摩擦抵抗が減少し無くなるもので、係合口４３ｃとの係合のための回動がスムースに行なわれ確実に係合ロックされる。
【００９１】
このように、本実施例における抜け止め手段としての突部７４ｃは、所謂扉の閉鎖当初のみ当接部６９にて当接支持され、その後、係合しロック保持されるに伴い離反して隙間を生じ、摩擦抵抗などを無くすことができるようにしたもので、必要時以外はフックレバー７４の回動抵抗を無くすことで、特に閉扉時における扉の操作性の向上が期待でき、以って円滑な運転開始ができて使い勝手の良い食器洗浄機を提供できる。
【００９２】
尚、本発明は上記し且つ図面に示した各実施例に限定されることなく、例えば上，下扉間に設けた連動機構はワイヤ手段に限らずリンク機構を用いても可能であるし、のみならず、扉は上下に配置したものに限らず複数の扉ロック機構を離間して配設した扉構成に広く採用可能であるなど、実施に際して要旨を逸脱しない範囲内で適宜変更して実施できるものである。
【００９３】
【発明の効果】
本発明は以上説明したように、洗浄室を有する本体前面の開口部を開閉する扉を備えた食器洗浄機において、前記扉と前記本体との間に閉扉状態を保持する複数の扉ロック機構を設け、この扉ロック機構に対応して扉が開放状態であることを検知する開扉検知手段を設けるとともに、この開扉検知手段の検知結果をそれぞれ表示する表示手段を設けたものである。
従って、複数のうちのいずれの扉ロック機構が不完全であるかが、該当する表示手段にて明確に表示され、この状態は使用者が容易に認識できて扉を完全な閉鎖状態にし直すことが簡単確実にでき、以って扉の操作性が改善されるとともに円滑な運転が可能となり使い勝手の良い食器洗浄機を提供できる。
【図面の簡単な説明】
【図１】本発明の第１実施例を示す食器洗浄機全体の外観斜視図
【図２】食器洗浄機全体を示す開扉状態の斜視図
【図３】食器洗浄機全体を示す破断した側面図
【図４】本発明の第２実施例を示す一部破断した要部の拡大側面図
【図５】異なる状態を示す一部破断した要部の拡大側面図
【図６】本発明の第３実施例を示す図１相当図
【図７】要部の拡大図
【図８】本発明の第４実施例を示す図１相当図
【図９】本発明の第５実施例を示す一部破断した要部の拡大側面図
【図１０】本発明の第６実施例を示す図９相当図
【図１１】本発明の第７実施例を示す図９相当図
【図１２】本発明の第８実施例を示す図９相当図
【図１３】従来例の異なる（ａ，ｂ，ｃ）食器洗浄機の概略構成を示す側面図
【符号の説明】
図中、１１は本体、１２は開口部、１３は上扉、１４，５４，６４，７１は下扉（扉）、１４ａ，５４ａ，６４ａ，７１ａは外扉部、１４ｂ，５４ｂ，６４ｂ，７１ｂは内扉部、１７は洗浄室、２０は洗浄機構、２３，５６，６０は操作パネル、３２は連動機構、３４はワイヤ、３８，５２，７０，７６は扉ロック機構、３９，６６は基軸、４０，５３，６７，７４はフックレバー、４０ａ，５３ａはフック部、４０ｂ，５３ｂは段部、４３はスイッチケース、４３ａは係合口、４６は開扉検知手段、４８はアクチュエーター、４９，５８はＬＥＤ（表示手段）、５３ｃは指標（表示手段）、５５は可視部（表示手段）、５７は印刷部（配置構成図）、５９は閉扉検知手段、６１はスピーカ、６２，６５，７２は軸支部材、６７ｃは小突部（抜け止め手段）、６９，７３は当接部、７４ｃは突部（抜け止め手段）を示す。
【図１】
0003572283.tif 000002
【図２】
0003572283.tif 000003
【図３】
0003572283.tif 000004
【図４】
0003572283.tif 000005
【図５】
0003572283.tif 000006
【図６】
0003572283.tif 000007
【図７】
0003572283.tif 000008
【図８】
0003572283.tif 000009
【図９】
0003572283.tif 000010
【図１０】
0003572283.tif 000011
【図１１】
0003572283.tif 000012
【図１２】
0003572283.tif 000013
【図１３】
0003572283.tif 000014